(57)【要約】      （修正有）【課題】部品点数を増加することなく傷を防ぐことが可能な撮像装置を提供する。【解決手段】撮像装置は、内部に配置された部品を覆う蓋５０１と、撮像装置と蓋との間に配置された弾性部材４０５を有する。蓋は、内部部品を覆うカバー部と、カバー部を回転移動するための回転軸部３０４を有し、カバー部の長手方向の幅は、回転軸部の幅よりも広く段差を有する蓋において段差部５０３に弾性部材が露出し、カバー部より突出している。弾性部材は蓋を閉じた状態では撮像装置と隙間を有し、蓋を開いた状態では、弾性部材と撮像装置が当接する。【選択図】図５
2018107558.tif 000002
【特許請求の範囲】
【請求項１】
撮像装置の内部に配置された部品を覆う蓋と、前記撮像装置と蓋との間に配置された弾性部材を有し、前記蓋は、前記内部部品を覆うカバー部と、前記カバー部を回転移動するための回転軸部を有し、前記回転軸部の幅は、前記カバー部の長手方向の幅よりも狭く、段差を有する蓋において前記段差部に前記弾性部材が露出し、カバー部より突出していることを特徴とする撮像装置。
【請求項２】
請求項１に記載の撮像装置において、前記弾性部材は蓋を閉じた状態では撮像装置と隙間を有し、蓋を開いた状態では、弾性部材と撮像装置が当接することを特徴とする撮像装置。
【発明の詳細な説明】
【技術分野】
【０００１】
ビデオカメラのメモリーカードを保護するカード蓋に関するものである。
【背景技術】
【０００２】
近年のビデオカメラでは、本体内部に搭載された内蔵メモリ、もしくは取り外し可能なメモリーカードに撮影データを記録するものが主流である。また、ビデオカメラ等の撮像装置に搭載されたメモリーカードには、カードの保護や、カードの誤排出を防止するために、撮像装置本体に搭載されたメモリーカードを覆うカード蓋を有している。このカード蓋は、撮像装置内部に雨などにより、水が侵入することを防止するために、カード蓋を閉じると、パッキンにより密閉される構造を備えている。
【０００３】
また、簡易的な構造で防滴構造にするため、カード蓋は外開きで構成されており、外開きのカード蓋は開閉時にロックを外すとバネの反力により、蓋が開く構成を取っている。この際、カード蓋が開くと、外装カバーとカード蓋が当接することにより、カバーに傷がついたり、カバー同士が当接する際に音が発生するといった問題があった。
【０００４】
この対策として、従来は、弾性部材を外装カバーと、カード蓋の当接面に設置し、傷や音を防ぐ方法を取っていた。また、特許文献  特開２００８−２７０９９２によれば、液晶表示パネルを保持する弾性部材が表示パネルを閉じた際に、撮像装置本体と当接するように表示パネルから弾性部材が露出してるというものがある。
【先行技術文献】
【特許文献】
【０００５】
【特許文献１】特開２００８−２７０９９２号公報
【発明の概要】
【発明が解決しようとする課題】
【０００６】
しかしながら、上記従来例において、カード蓋と本体部の当接面に弾性部材を設置すると、外観面に弾性部材を設置する必要がある。このため、弾性部材がはがれやすい、また、見栄えが良くないといった問題点があった。また、弾性部材を張り付けると部品点数の増加によりコストアップとなっていた。
【課題を解決するための手段】
【０００７】
本発明の撮像装置は、内部に配置された部品を覆う蓋と、前記撮像装置と蓋との間に配置された弾性部材を有し、前記蓋は、前記内部部品を覆うカバー部と、前記カバー部を回転移動するための回転軸部を有し、前記カバー部の長手方向の幅は、前記回転軸部の幅よりも広く段差を有する蓋において前記段差部に前記弾性部材が露出し、カバー部より突出していることを特徴としている。また、前記弾性部材は蓋を閉じた状態では撮像装置と隙間を有し、蓋を開いた状態では、弾性部材と撮像装置が当接することを特徴としている。
【発明の効果】
【０００８】
本発明によれば、外観に弾性部材を露出させることなく、カード蓋を開いた際の傷や音を防ぐことができる。また、内部弾性部材を使用することにより追加部品が発生しない。
【図面の簡単な説明】
【０００９】
【図１】撮像装置本体左前側面図。
【図２】撮像装置本体左後側面図。
【図３】カードユニットの閉じた状態を示した図。
【図４】カードユニットの開いた状態を示した図。
【図５】カード蓋単体の斜視図。
【図６】カード蓋単体の背面図。
【図７】カード蓋単体のカバー非表示図。
【図８】カードユニット断面図。
【図９】カードユニット動作図。
【発明を実施するための形態】
【００１０】
＜第１の実施形態＞
≪撮像装置全体の説明≫
以下本発明の実施例について図を参照しながら説明する。図１は、本発明の撮像装置１００を示しており、前記撮像装置１００を左側面上方から見た斜視図である。図１に示すように、前記撮像装置１００は本体部１０１に対し、正面側には、交換可能な撮像レンズ部１０２、が配置され、背面側には、電源を供給するためのバッテリー１０３が配置されている。
【００１１】
次に前記本体部１０１の詳細な説明を図１、図２を用いて説明する。前記本体部１０１に搭載されたコネクタを順に説明する。Ｄタップコネクタ  １０４は外付けビデオライトや外付けモニタに電源を供給することが可能な電源コネクタである。ワイヤレス通信コネクタ１０５は本体と接続することにより、撮影データを無線通信により転送可能なワイヤレス通信ユニットを接続することができるコネクタである。マイク入力コネクタ１０６はＸＬＲコネクタであり、外付けマイクを本体に接続した際に、外付けマイクに入力された信号を前記撮像装置１００に送り、本体に搭載された基板で信号処理することにより、音声を記録することができる。
【００１２】
レンズコネクタ１０７は前記撮像レンズ部１０２に配置されたケーブルと接続することにより、レンズからの信号を本体部に送信するためのコネクタである。カードユニット１０８は蓋の内部に記録メディアが配置されている。
【００１３】
次に図２は前記撮像装置１００を左側背面上方から見た斜視図である。外付けモニタ接続コネクタ２０１は本体部に取り付け可能なＥＶＦと本体を電気的に接続するためのコネクタであり、ＥＶＦから出たケーブルを本体に接続することにより前記撮像レンズ部１０２から入力された映像をＥＶＦに出力することができる。ＨＤＭＩ（登録商標）ケーブルコネクタ２０２は映像と音声を伝送する通信ケーブルであり、前記撮像レンズ部１０２から入力された映像と音声を外部モニタに出力することができる。有線ＬＡＮケーブルコネクタ２０３はＬＡＮケーブルを接続することによりインターネットに接続することができる。
【００１４】
撮影情報出力コネクタ２０４、２０５はそれぞれ撮影した際の情報を出力するためのコネクタであり、外部機器に接続することにより、タイムコードやＧＥＮロックなどの情報を出力することができる。モニタ２０６、２０７は前記撮像レンズ部１０２から入力された映像信号を出力するためのコネクタであり、本実施例ではＢＮＣコネクタを使用している。リターン信号コネクタ２０８は外部情報入力のためのコネクタであり、複数台のカメラを用い撮影を行う際に、他のカメラが撮影している映像を、前記撮像装置１００のモニタに映し出すことが可能であり、ＢＮＣコネクタを使用している。
【００１５】
ＳＤＩコネクタ２０９、２１０、２１１、２１２は、外部にＳＤＩ信号を出力するためのコネクタでありＢＮＣコネクタを使用している。リモコン端子２１３はリモコンユニットと接続することにより、入力された信号を前記本体部１０１に搭載された、不図示のＭＡＩＮ基板に入力し、前記撮像装置１００を操作することができる。ランクコネクタ２１４は、ランクリモコンを接続することにより、前記撮像装置１００を操作することができる。オーディオ出力ステレオコネクタ２１５は、前記撮像装置１００により録音された音声をステレオ信号で外部に出力することができる。
【００１６】
オーディオ出力モノラルコネクタ２１６は、前記撮像装置１００により録音された音声をモノラル信号で外部に出力することができる。オーディオ出力モノラルコネクタ２１７も同様に前記撮像装置１００により録音された音声をモノラル信号で外部に出力することができ、前記オーディオ出力モノラルコネクタ２１６がチャンネル１を出力し、前記オーディオ出力モノラルコネクタ２１７がチャンネル２を出力する。電源コネクタ２１８は前記撮像装置１００に電力を供給するためのコネクタである。
【００１７】
次にカードユニットについて図３、図４を用いて説明する。図３は前記カードユニット１０８の斜視図である。図に示すカードホルダー３０２は前記撮像装置１００の本体部の一部を覆うカバー部品である。前記カードホルダー３０２には、カード蓋３０３が回転軸３０４を介して接続されている。また、前記カード蓋３０３を開くためには、ロックノブ３０５をスライド移動することにより、ロックが外れ蓋が開く構造になっている。
【００１８】
次に図４は、前記カードユニット１０８の斜視図であり、カード蓋が開いた状態を示している。図に示す前記カードホルダー３０２には、内部に配置されたカードスロット４０１のカード挿入口と略同一の穴が設けられており、カードの挿抜を行うことができる。
【００１９】
また、前記カードホルダー３０２には、ロック爪掛かり穴４０２が設けられており、ロック爪４０３が係合することにより、前記カード蓋３０３が閉じた状態で保持される。前記カード蓋３０３を開く際には、前記ロックノブ３０５をスライド移動すると前記ロック爪４０３が前記ロック爪掛かり穴４０２から外れる。このとき開閉バネ４０４は、前記カード蓋３０３が開く方向に付勢しているのでカード蓋３０３が開く構造になっている。
【００２０】
前記カード蓋３０３には、水が入ることを防止するための弾性部材４０５が配置され、前記カード蓋３０３を閉じた際に、前記弾性部材４０５が前記カードホルダー３０２にチャージされることにより略密閉構造となり、水の浸入を防ぐことができる。尚、本発明の実施例においては同一のカード蓋３０３、カードスロット４０１を２個使用しているが、同一形状であるため、以下説明は一つについて説明する。
【００２１】
図５、図６、図７、図８を用いて、カード蓋の詳細について説明する図５は前記カード蓋３０３と、それに接続された部品を示した図である。図５に示す前記カード蓋３０３は、前記カードスロット４０１を覆う蓋部５０１と、前記回転軸３０４が配置された回転部５０２からなっており、前記蓋部５０１には、前記弾性部材４０５が配置されている。また、前記回転部５０２は、前記カード蓋３０３を、前記カードホルダー３０２に対し、回転移動するための回転軸３０４を保持した部分である。
【００２２】
前記回転部５０２の長手方向の幅は、前記蓋部５０１の長手方向の幅よりも狭く、内側にオフセットした、段差形状５０３を有している。前記段差形状５０３には、前記回転軸３０４が配置されている。また、前記段差形状５０３には、前記弾性部材４０５の一部が前記カード蓋３０３から露出して配置されている。
【００２３】
次に図６、図７は前記カード蓋３０３を背面側から示した図である。図６は前記カードインナーカバー４０６及び、カード軸受け６０１が取り付けられている状態を示しており、図７は前記カードインナーカバー４０６及び、カード軸受け６０１が取り外された状態を示している。
【００２４】
図７を用いて、前記カード蓋３０３の内部部品の配置について説明する。前記ロックノブ３０５は、前記カード蓋３０３を挟んでロックノブホルダー７０１と固定され、カード蓋３０３に対し、スライド移動可能に保持されている。前記ロックノブホルダー７０１には、前記ロック爪４０３か配置されている。また、前記ロックノブホルダー７０１には、ロックノブ付勢バネ７０２が配置されている。前記ロックノブ付勢バネ７０２は、圧縮コイルばねであり、前記ロックノブ３０５およびロックノブホルダー７０１がスライド移動するとロックノブ付勢バネ７０２が圧縮される。
【００２５】
圧縮する力がなくなると、前記ロックノブ３０５及びロックノブホルダー７０１が元の位置に戻る構成になっている。また、前記回転軸３０４は前記カード蓋３０３に設けられた回転軸受けに挿入される。このとき、前記開閉バネ４０４が軸に挿入され、保持されている。前記ロックノブホルダー７０１がスライド移動すると、前記カード蓋３０３のロックが外れる。このとき前記開閉バネ４０４により前記カード蓋３０３は開き方向に回転移動する。
【００２６】
また、前記回転軸３０４は前記カード軸受け６０１を取り付けることにより、前記カード蓋３０３の内側に落ち込まないように保持されている。
【００２７】
次に図８について説明する。図８は、前記図６に示したＡ−Ａ断面図である。図に示すように、受け部８０１は、前記弾性部材４０５の一部であり、前記カード蓋３０３よりも前記回転軸３０４側に突出している部分である。前記受け部８０１が前記カードホルダー３０２に当接することにより、前記カード蓋３０３の回転移動が停止する。また、前記受け部８０１の裏側には前記カードインナーカバー４０６が配置されており、前記受け部８０１が押された際に前記カード蓋３０３の内部に潜り込まないようになっている。
【００２８】
次に図９ａ〜ｄを用いて前記カード蓋３０３の回転移動と前記カードホルダー３０２と弾性部材４０５の隙間関係について説明する。
【００２９】
図９は前記カードユニット１０８を側面から見た図であり、前記カード蓋３０３の拡大図である。図９（ａ）は、前記カード蓋３０３が閉じている状態を示している。図９（ｂ）は、前記カード蓋３０３が６０°開いた状態を示している。図９（ｃ）は、前記カード蓋３０３が９０°開いた状態を示している。図９（ｄ）は、前記カード蓋３０３が１２０°開いた状態を示している。図９（ａ）に示すように、前記カード蓋３０３が閉じた状態では、前記弾性部材４０５と前記カードホルダー３０２の回転軸部９０１の間にはクリアランスａ９０２が設けられている。
【００３０】
また、図９（ｂ）に示すように６０°開いた状態では、前記弾性部材４０５と前記カードホルダー３０２の前記回転軸部９０１の間にはクリアランスｂ９０３が設けられている。前記クリアランスａ９０２は前記クリアランスｂ９０３と略同一となっている。また、図９（ｃ）  に示すように、９０°開いた状態では、前記弾性部材４０５と前記カードホルダー３０２の前記回転軸部９０１は略当接している。
【００３１】
図９（ｄ）に示すように、１２０°開いた状態では、前記弾性部材４０５と前記カードホルダー３０２の前記回転軸部９０１はチャージしており、１２０°開いた状態で前記カード蓋３０３の開き動作が止まる構造となっている。
【００３２】
以上説明したように、前記カード蓋３０３が開いた際に、前記弾性部材４０５に設けられた受け部８０１と前記カードホルダー３０２が当接することにより、前記カード蓋３０３の回転動作が停止する。これにより、前記カード蓋３０３が開いた際に硬質部品同士が当たり発生する音を緩和することができる。また、前記カード蓋３０３と前記カードホルダー３０２が当接することにより発生する傷を防ぐことができる。また、前記弾性部材４０５は、外部からの水の浸入を防ぐための役割と、上記のように、音の緩和及び傷の防止を兼ねた部品であるため、追加部品を必要としない構造である。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１００  ・・・・  撮像装置
１０１  ・・・・  本体部
１０２  ・・・・  撮像レンズ部
１０３  ・・・・  バッテリー
１０４  ・・・・  Ｄタップコネクタ  
１０５  ・・・・  ワイヤレス通信コネクタ
１０６  ・・・・  マイク入力コネクタ
１０７  ・・・・  レンズコネクタ
１０８  ・・・・  カードユニット
２０１  ・・・・  外付けモニタ接続コネクタ
２０２  ・・・・  ＨＤＭＩ（登録商標）ケーブルコネクタ
２０３  ・・・・  有線ＬＡＮケーブルコネクタ
２０４  ・・・・  撮影情報出力コネクタ
２０６  ・・・・  モニタ
２０８  ・・・・  リターン信号コネクタ
２０９  ・・・・  ＳＤＩコネクタ
２１３  ・・・・  リモコン端子
２１４  ・・・・  ランクコネクタ
２１５  ・・・・  オーディオ出力ステレオコネクタ
２１６  ・・・・  オーディオ出力モノラルコネクタ
２１７  ・・・・  オーディオ出力モノラルコネクタ
２１８  ・・・・  電源コネクタ
３０２  ・・・・  カードホルダー
３０３  ・・・・  カード蓋
３０４  ・・・・  回転軸
３０５  ・・・・  ロックノブ
３０６  ・・・・  回転軸受け
４０１  ・・・・  カードスロット
４０２  ・・・・  ロック爪掛かり穴
４０３  ・・・・  ロック爪
４０４  ・・・・  開閉バネ
４０５  ・・・・  弾性部材
４０６  ・・・・  カードインナーカバー
５０１  ・・・・  蓋部
５０２  ・・・・  回転部
５０３  ・・・・  段差形状
６０１  ・・・・  カード軸受け
７０１  ・・・・  ロックノブホルダー
７０２  ・・・・  ロックノブ付勢バネ
８０１  ・・・・  受け部
９０１  ・・・・  回転軸部
９０２  ・・・・  クリアランスａ
９０３  ・・・・  クリアランスｂ
【図１】
2018107558.tif 000003
【図２】
2018107558.tif 000004
【図３】
2018107558.tif 000005
【図４】
2018107558.tif 000006
【図５】
2018107558.tif 000007
【図６】
2018107558.tif 000008
【図７】
2018107558.tif 000009
【図８】
2018107558.tif 000010
【図９】
2018107558.tif 000011